(57)【特許請求の範囲】
【請求項１】
撮像レンズを保持するレンズ保持部材と、
前記レンズ保持部材を保持する筒状保持部材と、
前記レンズ保持部材と前記筒状保持部材とを接着する接着剤層とを備えているカメラモジュールにおいて、
前記筒状保持部材は、嵌合穴を有する筒形状に形成され、前記嵌合穴に前記レンズ保持部材が嵌合された状態にて前記レンズ保持部材を保持し、かつ前記嵌合穴が形成されている内周面には周方向に溝部が形成され、
前記レンズ保持部材は、光入射側の端面、および前記筒状保持部材の前記内周面と対向する外周面が凹んだ凹部を有し、
前記凹部は、前記レンズ保持部材における光入射側の端部から前記凹部の底部に向かって、前記レンズ保持部材の軸方向と平行な縦壁面、この縦壁面の下端部からレンズ保持部材における径方向の外側へ傾斜する傾斜面、および前記レンズ保持部材の軸方向に対して垂直な底面を有し、
前記凹部の底面と前記溝部との位置関係は、前記凹部の底面が、前記溝部の上側の側面と下側の側面との間の位置である第１の位置関係となっており、
前記接着剤層は、ベースの上面に下端部が当接されている前記レンズ保持部材の前記凹部の底面上から前記凹部に対向する位置の前記溝部の内部にわたって前記凹部と前記溝部との隙間に入りこむように設けられることを特徴とするカメラモジュール。
【請求項２】
前記溝部は環状溝であることを特徴とする請求項１に記載のカメラモジュール。
【請求項３】
前記筒状保持部材の前記内周面には、前記第１の位置関係を有する第１の環状溝に対しての前記レンズ保持部材の光入射側の端面側の位置に、第２の環状溝が形成され、
前記接着剤層は、前記凹部の底面上から前記第１および第２の環状溝の内部にわたって設けられていることを特徴とする請求項２に記載のカメラモジュール。
【請求項４】
前記溝部は螺旋溝であり、前記凹部の前記底面と前記螺旋溝とは、前記螺旋溝における、前記レンズ保持部材の光入射側の端面側の端部を始端とした１ターン以上の位置において前記第１の位置関係を有していることを特徴とする請求項１に記載のカメラモジュール。
【発明の詳細な説明】
【技術分野】
【０００１】
本発明は、携帯電話等の電子機器に搭載されるカメラモジュールに関する。
【背景技術】
【０００２】
従来、カメラモジュールでは、組み立て時において、レンズ駆動部に対して撮像レンズが取り付けられ、固定される。この場合、デフォーカスによるピンボケ画像を防止するため、撮像素子に対しての光軸方向における撮像レンズの初期位置を的確に設定する必要がある。【０００３】
従来、カメラモジュールの撮像レンズの取り付けでは、撮像レンズを備える光学部の外周面とこの光学部を保持するホルダ部の内周面とにねじが形成され、ホルダ部に対してのねじによる光学部の位置調整が行われている。この場合、ねじは、上記調整機能の他、ホルダ部とレンズ駆動部とを固定する機能を有する。【０００４】
しかしながら、ねじによって撮像レンズすなわち光学部の位置調整および光学部の固定を行う構成では、雄ねじと雌ねじとを高精度に形成する必要があり、製造コストが増大し易くなっている。【０００５】
そこで、ねじを用いずに光学部の組み込み作業を簡易に行う方法として、接着剤を使用する方法が提案されている。例えば、特許文献１には、光学部にねじを設けずに、接着剤のみにて光学部とホルダ部（レンズ駆動部）とを固定する方法が開示されている。この方法では、光学部とホルダ部との接着強度を高めるために、光学部を回転させて光学部の外周面とホルダ部の内周面とに接着剤を塗布し、接着面積を拡大するようにしている。
【先行技術文献】
【特許文献】
【０００６】
【特許文献１】日本国公開特許公報「特開２０１１−１７５０２７号（２０１１年９月８日公開）」
【発明の概要】
【発明が解決しようとする課題】
【０００７】
特許文献１に記載のカメラモジュールは、上記のように、光学部の外周面とホルダ部の内周面とに接着剤を塗布し、接着面積を拡大して光学部とホルダ部との接着強度を高める構成である。このために、光学部を回転させて光学部の外周面とホルダ部の内周面とに接着剤を拡げる工程が必要であり、組立工程に長時間を要している。【０００８】
また、組み立ての際に、光学部およびホルダ部を支持するベース部において光学部を回転させるため、光学部とベース部との擦れによる異物の発生、および光学部の高さ精度の悪化を生じるという問題点を有している。【０００９】
したがって、本発明は、組立精度の劣化を生じることなく、光学部とホルダ部とを簡単な構成かつ高い接着強度にて接着することができるカメラモジュールの提供を目的としている。
【課題を解決するための手段】
【００１０】
上記の課題を解決するために、本発明の一態様に係るカメラモジュールは、撮像レンズを保持するレンズ保持部材と、前記レンズ保持部材を保持する筒状保持部材と、前記レンズ保持部材と前記筒状保持部材とを接着する接着剤層とを備えているカメラモジュールにおいて、前記筒状保持部材は、嵌合穴を有する筒形状に形成され、前記嵌合穴に前記レンズ保持部材が嵌合された状態にて前記レンズ保持部材を保持し、かつ前記嵌合穴が形成されている内周面には周方向に溝部が形成され、前記レンズ保持部材は、光入射側の端面、および前記筒状保持部材の前記内周面と対向する外周面が凹んだ凹部を有し、前記凹部は、前記レンズ保持部材における光入射側の端部から前記凹部の底部に向かって、前記レンズ保持部材の軸方向と平行な縦壁面、この縦壁面の下端部からレンズ保持部材における径方向の外側へ傾斜する傾斜面、および前記レンズ保持部材の軸方向に対して垂直な底面を有し、前記凹部の底面と前記溝部との位置関係は、前記凹部の底面が、前記溝部の上側の側面と下側の側面との間の位置である第１の位置関係となっており、前記接着剤層は、ベースの上面に下端部が当接されている前記レンズ保持部材の前記凹部の底面上から前記凹部に対向する位置の前記溝部の内部にわたって前記凹部と前記溝部との隙間に入りこむように設けられることを特徴としている。
【発明の効果】
【００１１】
本発明の一態様によれば、組立精度の劣化を生じることなく、撮像レンズを保持するレンズ保持部材とこのレンズ保持部材を保持する筒状保持部材とを簡単な構成かつ高い接着強度にて接着することができる。
【図面の簡単な説明】
【００１２】
【図１】本発明の実施の形態のカメラモジュールを示す斜視図である。
【図２】図１に示したカメラモジュールの分解斜視図である。
【図３】図１におけるＡ−Ａ線矢視断面図である。
【図４】図３に示したレンズホルダとレンズバレルとが接着剤層によって接着された状態を示す、図３と同じ位置の縦断面図である。
【図５】本発明の他の実施の形態のカメラモジュールにおける、レンズホルダに対してレンズバレルを取り付ける前の状態を示す縦断面図である。
【図６】図５の状態からレンズホルダに対してレンズバレルを取り付けた状態を示すカメラモジュールの縦断面図である。
【図７】図６に示したカメラモジュールにおいて、レンズホルダとレンズバレルとが接着剤層によって接着された状態を示す縦断面図である。
【発明を実施するための形態】
【００１３】
〔実施の形態１〕
本発明の実施の形態を図面に基づいて以下に説明する。
【００１４】
図１は、本発明の実施の形態のカメラモジュール１を示す斜視図である。図２は、図１に示したカメラモジュール１の分解斜視図である。図３は図１におけるＡ−Ａ線矢視断面図である。
【００１５】
（全体構成の概要）
図１から図３に示すように、カメラモジュール１は、レンズバレル２、ヨーク３、スペーサ４、上側板バネ５、磁石６、コイル７、レンズホルダ８、下側板バネ９、端子１０およびベース１１を備えている。
【００１６】
本実施の形態のカメラモジュール１は、一体となって光軸方向へ移動するレンズホルダ８とレンズバレル２との駆動源として、ボイス・コイル・モータ（ＶＣＭ）を使用するＶＣＭ方式のものである。カメラモジュール１は、上記の部材の他、センサ基板（図示せず）および撮像素子（図示せず）を備えている。撮像素子は、例えば、ＣＣＤ（charge coupled device）型イメージセンサ、あるいはＣＭＯＳ（complementary metal oxide semiconductor）型イメージセンサ等により構成される。
【００１７】
ベース１１は、正方形の板形状を有し、中心部に矩形の開口部３ａが形成されている。ベース１１の下面からは複数の端子１０が下方へ突出している。ベース１１の下部には、上記のセンサ基板が配置される。センサ基板は、上記の撮像素子の他、クロック発生源などの電子部品（図示せず）を搭載する。
【００１８】
ベース１１の上には、ヨーク３が設けられている。ヨーク３は、平面視が正方形の容器形状を有し、下部が開放され、上壁の中心部に円形の開口部３ａが形成されている。
【００１９】
ヨーク３の内部におけるベース１１の上には下側板バネ９が設けられ、下側板バネ９の上には、筒形状のレンズホルダ８が設けられている。レンズホルダ８は平面視において外形が八角形であり、中心部に円形の嵌合穴８ｄを有している。嵌合穴８ｄは、円柱形状の穴であり、レンズホルダ８を軸方向に貫通している。
【００２０】
コイル７は、レンズホルダ８の外周に設けられ、レンズホルダ８の外形に対応して、八角形の枠形状を有している。磁石６は、コイル７の外周面と対向するように、ヨーク３の４箇所の角部に配置されている。上側板バネ５は、レンズホルダ８の上に設けられている。コイル７と磁石６とは、レンズホルダ８およびレンズバレル２を移動させるための磁気回路を構成する。
【００２１】
上記の下側板バネ９および上側板バネ５は、レンズホルダ８を径方向に位置決めした状態で光軸方向に変位可能に支持している。スペーサ４は、正方形の枠形状を有し、上側板バネ５とヨーク３の上壁との間に配置されている。上側板バネ５は、外周側の枠の部分がスペーサ４に固定され、スペーサ４はヨーク３の内側上面に固定されている。
【００２２】
（レンズバレル）
レンズバレル２は、撮像レンズ（図示せず）を備え、円柱形状の外形を有し、レンズホルダ８の嵌合穴８ｄに挿入されている。すなわち、レンズバレル２はレンズホルダ８に保持されている。この状態において、レンズバレル２の下端部２ｂは、ベース１１の上面すなわち当接面１１ａに接している。
【００２３】
レンズバレル２の上部の周縁部には、レンズバレル２の上面（光入射側の端面）および側面（外周面）に対して凹んだ状態の凹部２ａが形成されている。したがって、図３に示すように、凹部２ａの位置において、レンズバレル２の外周面とレンズホルダ８の内周面との間に空間部が形成されている。
【００２４】
本実施の形態において、凹部２ａの面は、上から下方へ（レンズバレル２の光入射側の端部から凹部２ａの底部に向かって）、レンズバレル２の軸方向と平行な縦壁面２ａ１、縦壁面２ａ１の下端部からレンズバレル２における径方向の外側へ傾斜する傾斜面２ａ２、およびレンズバレル２の軸方向に対して垂直な底面２ａ３を有している。また、凹部２ａは、レンズバレル２の周りに３箇所形成されている。なお、凹部２ａの数は特に限定されず、１個以上でればよい。また、カメラモジュール１では、複数の凹部２ａが形成されている場合、それら凹部２ａにおける上下方向の深さは同一に設定されていることが好ましい。
【００２５】
（レンズホルダ）
一方、レンズホルダ８の内周面には、その内周面に対して窪んだ形状の溝部８ａが形成されている。本実施の形態において、溝部８ａは、レンズホルダ８の嵌合穴８ｄにおけるレンズバレル２の凹部２ａと対向する高さ位置において、嵌合穴８ｄの内周面に環状に形成されている。なお、溝部８ａは、環状のものに限定されず、少なくともレンズバレル２の凹部２ａと対向する位置に形成されていればよい。
【００２６】
（凹部の底面と溝部との位置関係：第１の位置関係）
ここで、レンズバレル２の凹部２ａの底面２ａ３とレンズホルダ８の溝部８ａとの位置関係は、凹部２ａの底面２ａ３の高さが、レンズホルダ８の溝部８ａの上側面８ａ１と下側面８ａ２との間の高さとなるように設定されている（第１の位置関係）。
【００２７】
なお、図３に示すように、溝部８ａの上側面８ａ１が傾斜して形成され、上側面８ａ１の高さが、レンズホルダ８における径方向の内側端部と外側端部とで異なる場合、溝部８ａの上側面８ａ１の高さは、溝部８ａにおけるレンズホルダ８の径方向の外側端部の高さとする。同様に、溝部８ａの下側面８ａ２が傾斜して形成されている場合、下側面８ａ２の高さは、溝部８ａにおけるレンズホルダ８の径方向の外側端部の高さとする。
【００２８】
（接着剤層）
また、本実施の形態のカメラモジュール１では、平面視において、レンズバレル２の上面、およびレンズホルダ８における径方向の内側部分は、ヨーク３の開口部３ａから露出している。
【００２９】
レンズホルダ８に対するレンズバレル２の固定は、図４に示すように、レンズバレル２の凹部２ａおよびレンズホルダ８の溝部８ａに接着剤を供給し、接着剤層１２を形成することにより行われている。図４は、レンズホルダ８とレンズバレル２とが接着剤層１２によって接着された状態を示す、図３と同じ位置の縦断面図である。
【００３０】
（カメラモジュールの組立方法）
上記の構成において、カメラモジュール１の組立方法について以下に説明する。
【００３１】
カメラモジュール１を組み立てる際には、ベース１１に対して、端子１０、下側板バネ９、レンズホルダ８、コイル７、磁石６、上側板バネ５、スペーサ４およびヨーク３を組み付けた状態とし、次にレンズホルダ８の嵌合穴８ｄにレンズバレル２を挿入する。
【００３２】
また、レンズホルダ８に対するレンズバレル２の固定は、レンズバレル２の凹部２ａおよびレンズホルダ８の溝部８ａに接着剤を注入することにより行う。この場合、接着剤は、図４に示すように、溝部８ａの上側面８ａ１の高さ以上の高さまで注入することが好ましい。注入された接着剤は、その後、硬化して接着剤層１２となる。
【００３３】
（カメラモジュールの利点）
上記のように、レンズホルダ８にレンズバレル２を固定する接着剤層１２は、レンズバレル２の凹部２ａからレンズホルダ８の溝部８ａに入り込んだ状態となっている。したがって、カメラモジュール１が落下するなど、カメラモジュール１に対して大きな衝撃が加わった場合であっても、レンズバレル２がレンズホルダ８から脱落するといった事態を防止することができる。
【００３４】
なお、接着剤層１２の接着剤としては、例えば、熱硬化型のＵＶ接着剤、または嫌気性のＵＶ接着剤を用いるのが好ましい。これは、熱硬化型のみの接着剤、または嫌気硬化型のみの接着剤では、それぞれ短時間にて硬化しないため、硬化までの間にレンズバレル２の位置ずれを生じる可能性があるためである。また、ＵＶ硬化型のみの接着剤では、レンズホルダ８とレンズバレル２との隙間に入り込んだ接着剤を硬化させることができないためである。
【００３５】
すなわち、熱硬化型のＵＶ接着剤、または嫌気性のＵＶ接着剤を用いることで、表面に盛り上がってフィレットを形成している接着剤は、ＵＶ硬化作用により短時間で硬化させことができる。また、レンズホルダ８とレンズバレル２との隙間に入り込んだ接着剤は、熱硬化あるいは嫌気硬化させることができる。なお、接着剤は、粘度の高いものを用いることが好ましい。
【００３６】
〔実施の形態２〕
本発明の他の実施の形態を図面に基づいて以下に説明する。
図５は、本実施の形態のカメラモジュール５１における、レンズホルダ８に対してレンズバレル２を取り付ける前の状態を示す縦断面図である。図６は、図５の状態からレンズホルダ８に対してレンズバレル２を取り付けた状態を示すカメラモジュール５１の縦断面図である。図７は、レンズホルダ８とレンズバレル２とが接着剤層１２によって接着された状態を示す縦断面図である。
【００３７】
（全体構成の概要）
本実施の形態のカメラモジュール５１のレンズホルダ８は、図３に示した溝部８ａに代えて、図５に示すように、螺旋溝である溝部８ｃを備えている。本実施の形態において、溝部８ｃは、レンズホルダ８の上部と下部とのうち、上部のみに形成されている。この溝部８ｃの形成位置は、溝部８ｃがレンズバレル２の凹部２ａと対向できる位置である。カメラモジュール５１の他の構成は、カメラモジュール１と同様である。
【００３８】
（凹部の底面と溝部との位置関係：第１の位置関係）
カメラモジュール５１では、レンズバレル２の凹部２ａの底面２ａ３とレンズホルダ８の溝部８ｃとの位置関係は、少なくとも一つの凹部２ａ（例えば図６、図７に示す右側の凹部２ａ）において、凹部２ａの底面２ａ３の高さが、レンズホルダ８の溝部８ｃの上側面８ｃ１（前記の上側面８ａ１に対応）と下側面８ｃ２（前記の下側面８ａ２に対応）との間の高さとなるように設定されている（第１の位置関係）。
【００３９】
この場合、第１の位置関係は、螺旋溝である溝部８ｃの上端部（レンズバレル２の光入射側の端面側の端部）を始端とした１ターン以上の位置において生じている構成としてもよい。
【００４０】
上記の構成において、カメラモジュール５１の組立は、カメラモジュール１の場合と同様の方法により行うことができる。
【００４１】
（カメラモジュールの利点）
カメラモジュール５１では、レンズホルダ８の溝部８ｃが螺旋溝となっているので、レンズホルダ８の嵌合穴８ｄの内周面に溝部８ａを形成する金型構造を簡単なものにすることができ、コストダウンが可能となる。また、接着剤層１２を形成する場合には、溝部８ｃに供給した接着剤が溝部８ｃすなわち螺旋溝に沿って流れ、螺旋溝に充填されるので、レンズホルダ８とレンズバレル２との接着をより強固に行うことができる。
【００４２】
（凹部の個数）
以上の実施の形態において、レンズバレル２に形成される凹部２ａの個数は１個以上であればよく、特に限定されない。また、複数個形成された場合の凹部２ａの配置角度についても特に限定されない。しかしながら、凹部２ａは、一実施の形態（実施の形態３）として、複数個形成し、それらを等角度の間隔（光軸に対して軸対称）に配置することが好ましい。
【００４３】
すなわち、レンズバレル２における凹部２ａの形成箇所と非形成箇所とでは、接着剤層１２を形成する接着剤の量が異なるため、接着剤の硬化収縮量も異なる。したがって、複数個の凹部２ａを光軸に対して軸対称となるように形成すれば、接着剤の硬化収縮量の偏りによってレンズバレル２が光軸に対して傾く事態を抑制することができる。
【００４４】
また、以上の実施の形態では、ＶＣＭによるオートフォーカスの搭載されたカメラモジュールを例に説明したが、本発明はオートフォーカス搭載カメラモジュールに限定されるものではない。
【００４５】
〔まとめ〕
本発明の態様１に係るカメラモジュールは、撮像レンズを保持するレンズ保持部材（レンズバレル２）と、前記レンズ保持部材を保持する筒状保持部材（レンズホルダ８）と、前記レンズ保持部材と前記筒状保持部材とを接着する接着剤層１２とを備えているカメラモジュールにおいて、前記筒状保持部材は、嵌合穴８ｄを有する筒形状に形成され、前記嵌合穴８ｄに前記レンズ保持部材が嵌合された状態にて前記レンズ保持部材を保持し、かつ前記嵌合穴８ｄが形成されている内周面には周方向に溝部８ａが形成され、前記レンズ保持部材は、光入射側の端面、および前記筒状保持部材の前記内周面と対向する外周面に対して凹んだ凹部２ａを有し、前記凹部２ａの前記光入射方向に位置する底面２ａ３と前記溝部８ａとの位置関係は、前記凹部２ａの底面２ａ３における前記光入射側の端面に向かう方向の高さが、前記溝部８ａの上側の側面（上側面８ａ１）と下側の側面（下側面８ａ２）との間の位置である第１の位置関係となっており、前記接着剤層１２は、前記凹部２ａの底面２ａ３上から前記凹部２ａに対向する位置の前記溝部８ａの内部にわたって設けられている構成である。
【００４６】
上記の構成によれば、筒状保持部材は、嵌合穴８ｄにレンズ保持部材が嵌合された状態にてレンズ保持部材を保持する。レンズ保持部材は、光入射側の端面、および筒状保持部材の内周面と対向する外周面に対して凹んだ凹部２ａを有し、凹部２ａの底面２ａ３における光入射側の端面に向かう方向の高さは、筒状保持部材の溝部８ａの上側の側面と下側の側面との間の位置（第１の位置関係）となっている。接着剤層１２は、凹部２ａの底面２ａ３上から凹部２ａに対向する位置の溝部８ａの内部にわたって設けられている。
【００４７】
したがって、接着剤層１２を設けるために、レンズ保持部材の凹部２ａに供給された接着剤は、凹部２ａの底面２ａ３に案内されて凹部２ａの底面２ａ３に確実に充填することができる。これにより、レンズ保持部材の凹部２ａへの接着剤の充填量を少なくでき、接着剤の硬化収縮によってレンズ保持部材が受ける引っ張り力を小さくすることができる。この結果、少量の接着剤にて、組立精度の劣化を生じることなく、撮像レンズを保持するレンズ保持部材とこのレンズ保持部材を保持する筒状保持部材とを簡単な構成かつ高い接着強度にて接着することができる。また、接着剤の硬化収縮に伴ってレンズ保持部材が傾く事態を防止することができる。
【００４８】
本発明の態様２に係るカメラモジュールは、上記態様１に係るカメラモジュールにおいて、前記凹部２ａは、前記レンズ保持部材における光入射側の端部から前記凹部２ａの底部に向かって、前記レンズ保持部材の軸方向と平行な縦壁面２ａ１、この縦壁面２ａ１の下端部からレンズ保持部材における径方向の外側へ傾斜する傾斜面２ａ２、および前記レンズ保持部材の軸方向に対して垂直な底面２ａ３を有している構成としてもよい。
【００４９】
上記の構成によれば、接着剤層１２を設けるために、レンズ保持部材の凹部２ａに供給した接着剤は、縦壁面２ａ１、傾斜面２ａ２および底面２ａ３を有する凹部２ａの形状により、筒状保持部材の溝部８ａに向かって流れ易くなり、凹部２ａおよび溝部８ａに対して確実に供給される。さらに、凹部２ａが傾斜面２ａ２を有することから、凹部２ａへの接着剤の充填量を少なくでき、接着剤の硬化収縮によってレンズ保持部材が受ける引っ張り力を小さくすることができる。これにより、少量の接着剤にて、レンズ保持部材と筒状保持部材とをさらに確実に接着することができ、また、接着剤の硬化収縮に伴ってレンズバレルが傾く事態をさらに確実に防止することができる。
【００５０】
本発明の態様３に係るカメラモジュールは、上記態様１または２に係るカメラモジュールにおいて、前記溝部８ａは環状溝である構成としてもよい。
【００５１】
上記の構成によれば、溝部８ａは環状溝であるので、レンズ保持部材が凹部２ａを複数個有している場合であっても、一つの環状溝によって、溝部８ａと複数の凹部２ａとが第１の位置関係を容易に形成することができる。
【００５２】
本発明の態様４に係るカメラモジュールは、上記態様３に係るカメラモジュールにおいて、前記筒状保持部材の前記内周面には、前記第１の位置関係を有する第１の環状溝に対しての前記レンズ保持部材の光入射側の端面側の位置に、第２の環状溝が形成され、前記接着剤層１２は、前記凹部２ａの底面２ａ３上から前記第１および第２の環状溝の内部にわたって設けられている構成としてもよい。
【００５３】
上記の構成によれば、接着剤層１２は、レンズ保持部材の凹部２ａの底面２ａ３上から筒状保持部材の第１の環状溝、および第１の環状溝に対してのレンズ保持部材の光入射側の端面側に位置する第２の環状溝の内部にわたって設けられているので、レンズ保持部材と筒状保持部材との接着強度をさらに高めることができる。
【００５４】
本発明の態様５に係るカメラモジュールは、上記態様１または２に係るカメラモジュールにおいて、前記溝部８ｃは螺旋溝であり、前記螺旋溝における、前記レンズ保持部材の光入射側の端面側の端部を始端とした１ターン以上の位置において前記第１の位置関係を有している構成としてもよい。
【００５５】
溝部８ｃは螺旋溝となっているので、筒状保持部材の嵌合穴８ｄの内周面に溝部８ｃを形成する金型構造を簡単なものにすることができ、コストダウンが可能となる。また、接着剤層１２を形成する場合には、溝部８ｃに供給した接着剤が溝部８ｃすなわち螺旋溝に沿って流れ、螺旋溝に充填されるので、レンズ保持部材と筒状保持部材との接着をより強固にすることができる。
【００５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５７】
本発明は、画像または映像を撮像する機能を有する電子機器（例えば、携帯電話）または当該電子機器を構成する部品の製造分野において利用することができる。
【符号の説明】
【００５８】
１      カメラモジュール
２      レンズバレル
２ａ    凹部
２ａ１  縦壁面
２ａ２  傾斜面
２ａ３  底面
３      ヨーク
３ａ    開口部
４      スペーサ
５      上側板バネ
６      磁石
７      コイル
８      レンズホルダ
８ａ    溝部
８ａ１  上側面
８ａ２  下側面
８ｃ    溝部
８ｃ１  上側面
８ｃ２  下側面
８ｄ    嵌合穴
９      下側板バネ
１０      端子
１１      ベース
１１ａ    当接面
１２      接着剤層
５１      カメラモジュール
【図１】
0006038961.tif 000002
【図２】
0006038961.tif 000003
【図３】
0006038961.tif 000004
【図４】
0006038961.tif 000005
【図５】
0006038961.tif 000006
【図６】
0006038961.tif 000007
【図７】
0006038961.tif 000008